(57)【要約】【課題】移動局と基地局または基地局制御装置との間の接続時間を短縮できる通信制御方法を得ること。【解決手段】本発明にかかる通信制御方法は、移動局が、基地局または基地局制御装置へ無線回線の設定を要求する無線回線設定要求メッセージに対して、コアネットワークで終端される上位プロトコルメッセージを包含させて送信する無線回線設定要求ステップと、基地局または基地局制御装置が、無線回線設定要求メッセージに含まれる第１の上位プロトコルメッセージをコアネットワークへ転送し、規定時間以内にコアネットワークから第２の上位プロトコルメッセージを受信した場合には、第２の上位プロトコルメッセージを、無線回線設定応答メッセージに含めて送信する無線回線設定応答ステップと、を含む。【選択図】        図３−１
2010177950.tif 000002
【特許請求の範囲】
【請求項１】
移動局、当該移動局を収容する基地局、当該基地局を制御する基地局制御装置および当該基地局制御装置が接続されたコアネットワークにより構成された通信システムにおいて、回線制御を行う場合の通信制御方法であって、
前記移動局が、前記基地局または基地局制御装置へ無線回線の設定を要求する無線回線設定要求メッセージに対して、前記コアネットワークで終端される上位プロトコルメッセージを包含させて送信する無線回線設定要求ステップと、
前記基地局または基地局制御装置が、前記無線回線設定要求メッセージに含まれる上位プロトコルのメッセージである第１の上位プロトコルメッセージを前記コアネットワークへ転送し、さらに、規定時間以内に前記コアネットワークから第２の上位プロトコルメッセージを受信した場合には、当該第２の上位プロトコルメッセージを、前記無線回線設定要求メッセージの応答メッセージである無線回線設定応答メッセージに包含させて送信する無線回線設定応答ステップと、
を含むことを特徴とする通信制御方法。
【請求項２】
前記無線回線設定応答ステップでは、
前記規定時間以内に前記第２の上位プロトコルメッセージとして前記第１の上位プロトコルメッセージの応答メッセージを受信した場合に、第２のプロトコルメッセージを含んだ無線回線設定応答メッセージを送信する
ことを特徴とする請求項１に記載の通信制御方法。
【請求項３】
前記無線回線設定応答ステップでは、
前記規定時間以内に前記コアネットワークへの接続許可を示す第２の上位プロトコルメッセージを受信した場合、前記無線回線設定応答メッセージとして無線回線の設定完了を示すメッセージを送信する
ことを特徴とする請求項１または２に記載の通信制御方法。
【請求項４】
前記無線回線設定応答ステップでは、
前記規定時間以内に前記コアネットワークへの接続拒否を示す第２の上位プロトコルメッセージを受信した場合、前記無線回線設定応答メッセージとして無線回線を設定しない旨を示すメッセージを送信する
ことを特徴とする請求項１、２または３に記載の通信制御方法。
【請求項５】
前記無線回線設定要求ステップでは、
前記無線回線設定要求メッセージに対して、再送メッセージか否かを示す情報を設定して送信し、
前記無線回線設定応答ステップでは、
受信した無線回線設定要求メッセージに設定された前記の情報に基づいて、当該受信メッセージと同一メッセージを受信済み否かを判定し、同一メッセージを受信済みの場合には、当該受信メッセージを破棄する
ことを特徴とする請求項１〜４のいずれか一つに記載の通信制御方法。
【請求項６】
前記無線回線設定応答ステップでは、
前記無線回線設定応答メッセージを送信した場合、当該無線回線設定応答メッセージを記憶し、既受信済みの無線回線設定要求メッセージを再度受信した場合には、その応答メッセージとして既送信済みの無線回線設定応答メッセージを再送する
ことを特徴とする請求項５に記載の通信制御方法。
【請求項７】
前記無線回線設定応答ステップでは、
前記規定時間以内に前記第２の上位プロトコルメッセージをコアネットワークから受信せず、第２の上位プロトコルメッセージを含まない無線回線設定応答メッセージを送信した後に、前記第２の上位プロトコルメッセージを受信した場合、当該受信した第２の上位プロトコルメッセージに基づいて、前記記憶した無線回線設定応答メッセージを更新する
ことを特徴とする請求項６に記載の通信制御方法。
【請求項８】
前記無線回線設定応答ステップでは、
前記規定時間以内に前記第２の上位プロトコルメッセージをコアネットワークから受信しなかった場合には、第２の上位プロトコルメッセージを含まない無線回線設定応答メッセージを送信する
ことを特徴とする請求項１〜７のいずれか一つに記載の通信制御方法。
【発明の詳細な説明】
【技術分野】
【０００１】
本発明は、移動体通信システムにおいて、移動局と基地局との間、または移動局と基地局制御装置との間でメッセージを送受信する場合の通信制御方法に関する。
【背景技術】
【０００２】
移動体通信システムは、移動局、これを収容する基地局、複数の基地局を制御する基地局制御装置およびコアネットワークにより構成され、移動局と基地局との間は無線回線で、基地局から基地局制御装置を経由しコアネットワークまでの間は有線回線で接続されることが一般的である。また、無線回線に関するプロトコルは階層化され、移動局と基地局との間もしくは移動局と基地局制御装置との間で終端される。一方、基地局間の移動を制御するプロトコルやコアネットワークとの接続に係わるプロトコルについては、移動局とコアネットワークとの間で終端される。コアネットワークと移動局間のプロトコルは、無線回線に関するプロトコル上で転送されるので、無線回線に関するプロトコルが下位プロトコル、コアネットワークと移動局間との間で終端されるプロトコルが上位プロトコルとして動作する。このように上位プロトコルと下位プロトコルが完全に独立に動作すると、各プロトコルの制御メッセージが独立に転送されるため、制御に必要なシーケンス数が増加して、制御遅延が増加してしまう。このため、下位プロトコルのメッセージに上位プロトコルのメッセージを多重化もしくは相乗りさせて、シーケンス数を削減する方法がある。
【０００３】
例えば、下記非特許文献１では、上位プロトコルのメッセージであるＮＡＳメッセージを、下位プロトコルであるＲＲＣのメッセージ（Ｒａｄｉｏ  Ｂｅａｒｅｒ  Ｓｅｔｕｐ）に多重化して転送することによりシーケンス数を削除している。また、下記特許文献１では、交換機（基地局側）から移動局側へ送信される無線制御プロトコル（下位プロトコル）の呼出メッセージに移動管理プロトコル・呼制御プロトコル（上位プロトコル）のメッセージを相乗りさせて送信する制御手順が開示されている。
【０００４】
【特許文献１】特開２００２−５８０５３号公報
【非特許文献１】３ＧＰＰ  ＴＳ３６．３００  Ｖ８．３．０
【発明の開示】
【発明が解決しようとする課題】
【０００５】
しかしながら、上記従来の技術は、それぞれ、以下に示すような課題を有する。
まず、非特許文献１に記載の技術では、基地局制御装置が、コアネットワークから受信した制御信号を契機に無線制御メッセージを生成し、この無線制御メッセージに、コアネットワークから受信した制御信号とともに受信した上位プロトコルメッセージを相乗させて送信している。そのため、コアネットワークから受信した制御信号を契機に生成される無線制御メッセージ以外の無線制御メッセージに上位プロトコルメッセージを相乗りさせることができない、という問題がある。
【０００６】
次に、特許文献１に記載の技術では、呼出メッセージ以外の下位プロトコルメッセージに対しては上位プロトコルメッセージを相乗させることができない、という問題がある。
【０００７】
さらに、非特許文献１に記載の技術および特許文献１に記載の技術は、認証エラーなどにより接続を拒否された場合にコアネットワークから受信する上位プロトコルメッセージを下位プロトコルメッセージへ相乗りさせるケースについては考慮されていない。加えて、無線区間特有のメッセージ欠落による再送が発生した場合には、相乗りさせた上位プロトコルも再送されるため、コアネットワークに対しても上位プロトコルメッセージを再送することになり、コアネットワークでの多重設定動作を引き起こす可能性があり、この問題も考慮されていない。
【０００８】
本発明は、上記に鑑みてなされたものであって、コアネットワークから受信した制御信号を契機に生成される無線制御メッセージ以外の無線制御メッセージに対しても上位プロトコルメッセージを相乗りさせることが可能な通信制御方法を得ることを目的とする。
【０００９】
また、呼出メッセージ以外の下位プロトコルメッセージに対しても上位プロトコルメッセージを相乗りさせることが可能な通信制御方法を得ることを目的とする。
【００１０】
また、コアネットワークから接続を拒否された場合やメッセージ欠落に伴う再送が発生した場合を考慮し、効率的な制御を実現する通信制御方法を得ることを目的とする。
【課題を解決するための手段】
【００１１】
上述した課題を解決し、目的を達成するために、本発明は、移動局、当該移動局を収容する基地局、当該基地局を制御する基地局制御装置および当該基地局制御装置が接続されたコアネットワークにより構成された通信システムにおいて、回線制御を行う場合の通信制御方法であって、前記移動局が、前記基地局または基地局制御装置へ無線回線の設定を要求する無線回線設定要求メッセージに対して、前記コアネットワークで終端される上位プロトコルメッセージを包含させて送信する無線回線設定要求ステップと、前記基地局または基地局制御装置が、前記無線回線設定要求メッセージに含まれる上位プロトコルのメッセージである第１の上位プロトコルメッセージを前記コアネットワークへ転送し、さらに、規定時間以内に前記コアネットワークから第２の上位プロトコルメッセージを受信した場合には、当該第２の上位プロトコルメッセージを、前記無線回線設定要求メッセージの応答メッセージである無線回線設定応答メッセージに包含させて送信する無線回線設定応答ステップと、を含むことを特徴とする。
【発明の効果】
【００１２】
この発明によれば、移動局と基地局または基地局制御装置との間の接続時間を短縮できる、という効果を奏する。
【発明を実施するための最良の形態】
【００１３】
以下に、本発明にかかる通信制御方法の実施の形態を図面に基づいて詳細に説明する。なお、この実施の形態によりこの発明が限定されるものではない。
【００１４】
実施の形態１．
図１は、本発明にかかる通信制御方法を実現する移動通信システムの構成例を示す図である。この移動通信システムは、移動局１、複数の基地局２および基地局制御装置３を含む。移動局１はいずれか一つの基地局２に収容され、この基地局２と無線接続される。各基地局２は基地局制御装置３と有線接続され、基地局制御装置３は自身に接続されている各基地局２の制御を行う。また、基地局制御装置３はコアネットワークに有線接続されている。なお、図１では基地局２と基地局制御装置３が物理的に独立した構成としているが、これらを統合した１つの装置であってもよい。
【００１５】
図２は、本実施の形態の移動通信システムにおけるプロトコルスタックの一例を示す図である。図２に示したように、本実施の形態の移動通信システムでは、移動局と基地局（または基地局制御装置）との間で終端されるプロトコル（以下、下位プロトコルと呼ぶ）および移動局とコアネットワークとの間で終端されるプロトコル（以下、上位プロトコルと呼ぶ）により、通信制御を行う。図２に示した例では、下位プロトコルとしてＬａｙｅｒ１(Radio)プロトコル、Ｌａｙｅｒ２プロトコルおよびＲＲＣ（Radio  Resource  Control）プロトコルが実装され、また、上位プロトコルとしてＮＡＳ（Non  Access  Stratum）プロトコルが実装されている。
【００１６】
つづいて、本実施の形態の移動通信システムにおける通信制御方法について、図１、図３−１および図３−２を参照しながら説明する。図３−１および図３−２は、本実施の形態の通信制御方法の一例を示すシーケンス図である。図３−１および図３−２は共に、移動局１がコアネットワークとの通信を開始する場合の制御手順を示している。なお、上述したように、下位プロトコルは移動局１と基地局２との間または移動局１と基地局制御装置３との間で終端されるが、以下では、説明の便宜上、移動局１と基地局２との間で終端されるものとする。
【００１７】
図３−１や図３−２に示した通信制御では、移動局１は、コアネットワークとの通信を開始する場合、基地局２に対して、下位プロトコルである無線リソース制御プロトコルのメッセージである“Radio  Bearer  Request”（以下、このメッセージを「ＲＢＲメッセージ」と記載する）を用いて無線回線の設定要求を行う。このとき移動局１は、ＲＢＲメッセージに上位プロトコルであるＧＭＭ（GPRS  Mobility  Management）プロトコルのメッセージ（図示した“Service  Request”に相当）を相乗りさせて送信する。なお、この上位プロトコルメッセージを相乗りさせたＲＢＲメッセージは、無線回線上ではランダムアクセスにて送信される。
【００１８】
移動局１からＲＢＲメッセージを受信した基地局２は、受信メッセージに相乗りされている上位プロトコルのメッセージ（ＧＭＭプロトコルの“Service  Request”メッセージ）を抽出してコアネットワークに送信する。さらに、上位プロトコルメッセージの受信タイマを起動する。この上位プロトコルメッセージ受信タイマは、コアネットワークから受信した上位プロトコルのメッセージ（たとえば、上記送信した上位プロトコルメッセージに対する応答メッセージ）を下位プロトコルのメッセージに相乗りさせるかどうかを判定するためのタイマであり、コアネットワークから上位プロトコルメッセージを受信すると停止する。なお、基地局２とコアネットワークとの間の上位プロトコルメッセージの送受信動作については、本発明の本質部分とは異なるため、その詳細説明は省略する。
【００１９】
次に、基地局２は、無線回線の設定のための基地局２内のリソース確保を行い、上記ＲＢＲメッセージに対する応答メッセージ（図示した“Radio  Bearer  Setup”メッセージに相当、以下、「ＲＢＳメッセージ」と記載する）を生成する。
【００２０】
そして、基地局２は、このＲＢＳメッセージを生成した時点で、コアネットワークから上位プロトコルメッセージを既に受信している場合、この上位プロトコルメッセージ（図示した“Authentication＆Ciphering  Request”に相当）をＲＢＳメッセージに相乗りさせて移動局１へ送信する。また、この上位プロトコルメッセージを相乗りさせて送信したＲＢＳメッセージを記憶しておく。図３−１では、この制御シーケンスを示している。なお、記憶したＲＢＳメッセージは、たとえば、送信したＲＢＳメッセージに対する応答メッセージ（図示した“Radio  Bearer  Setup  Complete”に相当）を規定時間以内に受信できなかった場合に再送される。そのため、記憶したＲＢＳメッセージは、応答メッセージを受信した場合に破棄される。また、再送処理を所定回数実施したにもかかわらず応答メッセージが受信できなかった場合などにも破棄される。
【００２１】
一方、基地局２は、上記ＲＢＳメッセージを生成した時点で、上位プロトコルメッセージを受信していない場合には、上記の上位プロトコルメッセージ受信タイマが満了するか、上位プロトコルメッセージを受信するまで、上記ＲＢＳメッセージの送信を待ち合わせる。そして、上位プロトコルメッセージ受信タイマが満了する前に上位プロトコルメッセージを受信した場合、それを上記ＲＢＳメッセージに相乗りさせて移動局１へ送信する。これに対して、上位プロトコルメッセージ受信タイマが満了した場合には、上位プロトコルメッセージを相乗りさせずに上記ＲＢＳメッセージを移動局１へ送信する。図３−２では、上位プロトコルメッセージ受信タイマが満了し、上位プロトコルメッセージを相乗りさせずにＲＢＳメッセージを送信する場合の制御シーケンスを示している。
【００２２】
基地局２からＲＢＳメッセージを受信すると、移動局１は、ＲＢＳメッセージで指示された無線回線の設定を行い、この無線回線を用いて無線回線設定の完了を通知する下位プロトコルメッセージ（図示した“Radio  Bearer  Setup  Complete”に相当）を基地局２へ送信する。この下位プロトコルメッセージを受信した基地局２は、再送に備えて記憶しておいたＲＢＳメッセージを破棄する。この下位プロトコルメッセージにも上位プロトコルメッセージ（たとえば、図示した“Radio  Bearer  Setup  Complete”）を相乗りさせることが可能である。
【００２３】
なお、基地局２は、ＲＢＲメッセージに相乗りさせた上位プロトコルの種別を記憶しておき、コアネットワークから受信した上位プロトコルの種別が記憶しておいた上位プロトコルと異なる場合には、コアネットワークから受信した上位プロトコルメッセージの相乗りを行わずに、ＲＢＳメッセージを移動局１へ送信する制御手順とすることも可能である。また、移動局１は、上位プロトコルおよび下位プロトコルの双方を終端することができるので、上記のように上位プロトコルのメッセージと下位プロトコルのメッセージとの間の待ち合わせ制御を行うことなく、上位プロトコルのメッセージ送信時には予め定めた下位プロトコルのメッセージ（上記ＲＢＳメッセージ以外の下位プロトコルのメッセージ）に相乗りさせる制御手順とすることも可能である。
【００２４】
また、図４に示したシーケンスのように、ＲＢＲメッセージに相乗りさせた上位プロトコルメッセージをコアネットワークへ送信後、規定時間以内に（上位プロトコルメッセージ受信タイマが満了する前に）受信した上位プロトコルメッセージがコアネットワークへの接続を拒否する種別のメッセージ（図示した“Service  Reject”に相当）であった場合、基地局２は、相乗りさせる下位プロトコルメッセージを無線回線の設定を無効にするメッセージ（図示した“Radio  Bearer  Cancel”に相当、以下、「ＲＢＣメッセージ」と記載する）に切り替えた上で、上記の上位プロトコルメッセージを相乗りさせて移動局１に送信する制御としてもよい。すなわち、基地局２は、コアネットワークから“Service  Reject”を受信した場合、一旦生成したＲＢＳメッセージの破棄および確保したリソースの解放を行い、受信した上位プロトコルメッセージ（Service  Reject）をＲＢＣメッセージ（無線回線を設定しない旨を示すメッセージ）に相乗りさせて移動局１へ送信するようにしてもよい。このような制御とした場合、不要な無線回線の設定を回避することができる。なお、図４のシーケンスにおいて、上位プロトコルメッセージ受信タイマが満了し、さらにタイマ満了後に“Service  Reject”を受信する場合には、まず、タイマ満了時にＲＢＳメッセージのみを送信し、無線回線の設定完了後、“Service  Reject”を受信した時点で、設定した無線回線を解放する制御手順を開始する。
【００２５】
このように、本実施の形態の移動通信システムでは、移動局は、コアネットワークとの通信を開始する場合、最初に送信する下位プロトコルメッセージであるＲＢＲメッセージに上位プロトコルメッセージを相乗りさせることとした。また、基地局または基地局制御装置は、ＲＢＲメッセージを受信した場合、それに含まれる上位プロトコルメッセージをコアネットワークへ中継し、その後、規定時間が経過する前に上位プロトコルメッセージをコアネットワークから受信した場合には、この上位プロトコルメッセージを上記ＲＢＲメッセージに対する応答メッセージ（ＲＢＳメッセージ）に相乗りさせて送信することとした。これにより、上位プロトコルメッセージが相乗り可能な下位プロトコルメッセージの種別を限定することのない通信制御方法を得ることができ、たとえば、コアネットワークから受信した上位プロトコルメッセージを契機に生成する下位プロトコルメッセージ（無線制御メッセージ）以外の下位プロトコルメッセージに対しても上位プロトコルメッセージを相乗りさせることができる。また、移動局と基地局または基地局制御装置との間におけるシーケンス数を削減することができ、移動局と基地局または基地局制御装置との間の接続時間を短縮することが可能となる。
【００２６】
また、基地局または基地局制御装置は、上記所定時間以内に受信した応答メッセージが接続拒否を示すものである場合、この応答メッセージを、無線回線の設定を無効にする下位プロトコルメッセージ（ＲＢＣメッセージ）に相乗りさせて送信することとしたので、上位プロトコルにより移動局とコアネットワークとの間の接続が拒否されているにも係わらず無線回線の設定を行い、無線リソースを確保してしまうという不要な動作の抑止と無線リソースの無駄な使用の抑止が可能となる。
【００２７】
実施の形態２．
つづいて、実施の形態２の通信制御方法について説明する。なお、本実施の形態の移動通信システムの構成およびプロトコルスタックは実施の形態１と同様である（図１および図２参照）。
【００２８】
図５は、実施の形態２の通信制御方法の一例を示すシーケンス図である。この図５に示したシーケンスの中の基地局２がＲＢＳメッセージを送信するまでのシーケンスは、図３−１に示したシーケンスと同様である。ただし、図５のシーケンスでは、送信されたＲＢＳメッセージが無線回線上で欠落して移動局１まで到達しない場合を考慮し、移動局１が、上位プロトコルメッセージ（Service  Request）を相乗りさせたＲＢＲメッセージを再送するようにしている。以下に、本実施の形態の通信制御方法を詳細に説明する。なお、実施の形態１の通信制御方法と同じ部分については説明を省略する。
【００２９】
移動局１は、上位プロトコルメッセージ（Service  Request）を相乗りさせた最初のＲＢＲメッセージを送信後、規定時間以内にその応答メッセージ（上述したＲＢＳメッセージ、ＲＢＣメッセージなど）を受信できなかった場合、ＲＢＲメッセージを再送する。このとき、移動局１は、再送するＲＢＲメッセージに対して、再送メッセージであることを示す情報を設定する。
【００３０】
基地局２は、ＲＢＲメッセージを受信した場合、再送メッセージであることを示す情報が設定されているかどうかを確認し、受信したＲＢＲメッセージが再送されたものかどうかを判定する。
【００３１】
受信したＲＢＲメッセージに再送メッセージであることを示す情報が設定されていない場合、基地局２は、最初に送信されたＲＢＲメッセージ（以降、初送ＲＢＲメッセージと呼ぶ）を受信したと判断し、それに含まれている移動局識別子（ＲＢＲメッセージを送信した移動局の識別情報）を記憶することともに、相乗りされている上位プロトコルのメッセージをコアネットワークへ送信する。また、実施の形態１と同様に、上位プロトコルメッセージを下位プロトコルメッセージに相乗りさせるかどうかを判定するためのタイマ（上位プロトコルメッセージ受信タイマ）を起動する。
【００３２】
一方、受信したＲＢＲメッセージに再送メッセージであることを示す情報が設定されている場合には、基地局２は、このＲＢＲメッセージに含まれている移動局識別子と同じ移動局識別子を記憶しているかどうかを確認し、記憶している場合、今回受信したＲＢＲメッセージと同じＲＢＲメッセージを既に受信済みであり、それに相乗りされていた上位プロトコルメッセージのコアネットワークへの送信も完了していると判定する。そして、今回受信した（再度受信した）ＲＢＲメッセージを破棄する。
【００３３】
なお、移動局１からの初送ＲＢＲメッセージを受信している場合には上記の動作となるが、初送ＲＢＲメッセージを受信できていない場合、基地局２は、受信したＲＢＲメッセージに含まれている移動局識別子と同一移動局識別子を記憶していないため、上述した、初送ＲＢＲメッセージを受信した場合と同じ動作を実行する。すなわち、受信した移動局識別子を記憶し、さらに、相乗りされている上位プロトコルメッセージの転送および上位プロトコルメッセージ受信タイマの起動を行う。
【００３４】
また、基地局２は上記受信したＲＢＲメッセージと同じメッセージを既に受信済みと判断した場合、すなわち、基地局２は受信したＲＢＲメッセージに含まれている移動局識別子と同一移動局識別子を記憶していた場合には、今回（再度）受信したＲＢＲメッセージを破棄するとともに、前回ＲＢＲメッセージを受信した際に生成し移動局１へ送信するとともに記憶しておいたＲＢＳメッセージを、移動局１へ再送する。
【００３５】
なお、前記ＲＢＲメッセージを受信した際に生成し、送信したＲＢＳメッセージ（記憶しておいたＲＢＳメッセージ）には上位プロトコルメッセージが含まれていない（相乗りされていない）場合も考えられる。具体的には、上位プロトコルメッセージ受信タイマの満了に伴ってＲＢＳメッセージを送信した場合である。加えて、上位プロトコルメッセージ受信タイマの満了後からＲＢＳメッセージを再送するまでの間に上位プロトコルメッセージを受信する場合も考えられる。したがって、基地局２は、上位プロトコルメッセージを相乗りさせずに送信したＲＢＳメッセージを再送する場合、再送を行うまでの間に上位プロトコルメッセージを受信していれば、この上位プロトコルメッセージを相乗りさせてＲＢＳメッセージを再送するようにしてもよい。たとえば、基地局２は、上位プロトコルメッセージ受信タイマが満了後に上位プロトコルメッセージを受信した時点で、それまで記憶しておいた「上位プロトコルメッセージを相乗りさせていないＲＢＳメッセージ」に対してこの上位プロトコルメッセージを相乗りさせ、得られたＲＢＳメッセージ（上位プロトコルメッセージを相乗りさせたＲＢＳメッセージ）をそれまで記憶していたＲＢＳメッセージ（上位プロトコルメッセージを相乗りさせていないＲＢＳメッセージ）に代えて記憶する。この制御により、上位プロトコルメッセージを相乗りさせずに送信したＲＢＳメッセージが移動局１まで到達せずに再送が発生するケースにおいて、再送するＲＢＳメッセージに対して上位プロトコルメッセージを相乗りさせることが可能になる。
【００３６】
基地局２からＲＢＳメッセージを受信すると、移動局１は、実施の形態１と同様に、無線回線の設定を行い、無線回線設定の完了を通知する下位プロトコルメッセージを基地局２へ送信する。この下位プロトコルメッセージを受信した基地局２は、これに含まれている移動局識別子と同じものを、上記初送ＲＢＲメッセージを受信した際などに記憶した移動局識別子の中から削除する。
【００３７】
このように、本実施の形態の移動通信システムでは、移動局は、コアネットワークとの通信を開始する場合に送信するＲＢＲメッセージに対して、それが再送メッセージかどうかを示す情報を設定し、一方、基地局または基地局制御装置は、移動局からＲＢＲメッセージを受信した場合、同じメッセージを受信済みかどうかの判定を行い、未受信の場合には、それに含まれている移動局識別子を記憶するとともに実施の形態１と同様の動作を実行し、受信済みの場合には、再度受信したＲＢＲメッセージを破棄し、それ以前に受信した同一のＲＢＲメッセージを受信した際に実行済みの処理は実行しないこととした。これにより、無線回線の不安定さに起因して下位プロトコルメッセージの再送が発生した場合に、コアネットワークに対する同一上位プロトコルメッセージの無駄な再送を抑止できる。また、移動局からの同一の無線回線設定要求に対して複数の無線リソースを設定してしまうことを防止できる。
【産業上の利用可能性】
【００３８】
以上のように、本発明にかかる通信制御方法は、移動体通信システムに有用であり、特に、無線接続区間におけるシーケンス数を削減し、遅延を抑えた制御を実現する場合に適している。
【図面の簡単な説明】
【００３９】
【図１】本発明にかかる通信制御方法を実現する移動通信システムの実施の形態１の構成例を示す図である。
【図２】実施の形態１の移動通信システムにおけるプロトコルスタックの一例を示す図である。
【図３−１】実施の形態１の通信制御方法の一例を示すシーケンス図である。
【図３−２】実施の形態１の通信制御方法の一例を示すシーケンス図である。
【図４】実施の形態１の通信制御方法の変形例を示すシーケンス図である。
【図５】実施の形態２の通信制御方法の一例を示すシーケンス図である。
【符号の説明】
【００４０】
１  移動局
２  基地局
３  基地局制御装置
【図１】
2010177950.tif 000003
【図２】
2010177950.tif 000004
【図３−１】
2010177950.tif 000005
【図３−２】
2010177950.tif 000006
【図４】
2010177950.tif 000007
【図５】
2010177950.tif 000008